(57)【要約】【課題】複数機種のプログラムを有し鍋を加熱する加熱手段を制御する制御手段を備えた炊飯器において、プリント配線板の省スペース化と効率的配線を実現するとともに、制御手段をより入出力部の少ないマイクロコンピュータにより実現し、プリント配線板を小型にするとともに低コストにする。【解決手段】鍋を加熱する加熱手段１を駆動手段２により駆動し、複数のキーからなるキー入力手段３と機器の情報を表示する表示手段４とを有し、複数機種のプログラムを有する制御手段５により駆動手段２を制御し、素子の接続状態によりプログラム切換を行うプログラム切換手段６からの情報をプログラム切換検出手段７により検出する。プログラム切換検出手段７への入力部を他の構成要素から制御手段５への入力部あるいは制御手段５から他の構成要素への出力部との共用とする。【選択図】図１
2005312609.tif 000002
【特許請求の範囲】
【請求項１】
鍋を加熱する加熱手段と、前記加熱手段を駆動する駆動手段と、複数のキーからなるキー入力手段と、機器の情報を表示する表示手段と、複数機種のプログラムを有し前記駆動手段を制御する制御手段と、素子の接続状態によりプログラム切換を行うプログラム切換手段と、前記プログラム切換手段からの情報を検出するプログラム切換検出手段とを備え、前記プログラム切換検出手段への入力部を他の構成要素から制御手段への入力部あるいは制御手段から他の構成要素への出力部との共用とした炊飯器。
【請求項２】
プログラム切換検出手段への入力部を他の構成要素の半導体スイッチング素子への出力部と共用とした請求項１記載の炊飯器。
【請求項３】
プログラム切換検出手段への入力部をキー入力手段からの入力部と共用とした請求項１記載の炊飯器。
【請求項４】
プログラム切換検出手段への入力部を表示手段への出力部と共用とした請求項１記載の炊飯器。
【請求項５】
プログラム切換検出手段による機種判定をリセット解除時に行うようにした請求項１〜４のいずれか１項に記載の炊飯器。
【請求項６】
プログラム切換検出手段による機種判定を停電復帰時に行うようにした請求項１〜４のいずれか１項に記載の炊飯器。
【請求項７】
プログラム切換検出手段による機種判定を炊飯開始時に行うようにした請求項１〜４のいずれか１項に記載の炊飯器。
【請求項８】
プログラム切換検出手段による機種判定を所定の周期で行うようにした請求項１〜４のいずれか１項に記載の炊飯器。
【発明の詳細な説明】
【技術分野】
【０００１】
本発明は、複数機種のプログラムを有し鍋を加熱する加熱手段を制御する制御手段を備えた炊飯器に関するものである。
【背景技術】
【０００２】
従来、この種の炊飯器は図７に示すように構成していた（例えば、特許文献１参照）。以下、その構成について説明する。
【０００３】
図７に示すように、ヒータ１３３、１３４は、加熱手段を構成し、このヒータ１３３、１３４への通電を、リレー駆動手段１２９、１３０により駆動されるリレー１３１、１３２により制御している。制御手段１２０は、複数機種のプログラムを有し、キー入力手段１２５、１２６と、機器の情報を表示する表示手段１２８とを接続し、リレー駆動手段１２９、１３０を制御するよう構成している。
【０００４】
プログラム切換手段１２１、１２２、１２３は、スイッチまたはジャンパー線により構成して制御手段１２０に接続し、プログラム切換手段１２１、１２２、１２３からの情報をプログラム切換検出手段Ｐ０、Ｐ１、Ｐ２より検出している。
【特許文献１】特開平２−１９３６１２号公報
【発明の開示】
【発明が解決しようとする課題】
【０００５】
しかしながら、このような従来の構成では、プログラム切換手段１２１、１２２、１２３として専用外部回路を構成しなければならず、このためプリント配線板をこの外部回路を実現するための配線領域を確保しなければならず、プリント配線板の効率的配線を阻害するという問題を有していた。
【０００６】
さらに、制御手段１２０にはプログラム切換手段１２１、１２２、１２３からの情報を入力する専用の入力部としてプログラム切換検出手段Ｐ０、Ｐ１、Ｐ２を設けざるを得ず、このことにより入出力部のより多いマイクロコンピュータを使用しなければならない場合を生じ、ひいては部品コストの増大を招くという問題を有していた。
【０００７】
本発明は上記従来の課題を解決するもので、プリント配線板の省スペース化と効率的配線を実現するとともに、制御手段をより入出力部の少ないマイクロコンピュータにより実現し、プリント配線板を小型にするとともに低コストにすることを目的としている。
【課題を解決するための手段】
【０００８】
本発明は上記目的を達成するために、鍋を加熱する加熱手段を駆動手段により駆動し、複数のキーからなるキー入力手段と機器の情報を表示する表示手段とを有し、複数機種のプログラムを有する制御手段により駆動手段を制御し、素子の接続状態によりプログラム切換を行うプログラム切換手段からの情報をプログラム切換検出手段により検出するよう構成し、プログラム切換検出手段への入力部を他の構成要素から制御手段への入力部あるいは制御手段から他の構成要素への出力部との共用としたものである。
【０００９】
これにより、プリント配線板の省スペース化と効率的配線を実現できるとともに、制御手段をより入出力部の少ないマイクロコンピュータにより実現することができ、プリント配線板を小型にできるとともに低コストにできる。
【発明の効果】
【００１０】
本発明の炊飯器は、プリント配線板の省スペース化と効率的配線を実現できるとともに、制御手段をより入出力部の少ないマイクロコンピュータにより実現することができ、プリント配線板を小型にできるとともに低コストにできる。
【発明を実施するための最良の形態】
【００１１】
第１の発明は、鍋を加熱する加熱手段と、前記加熱手段を駆動する駆動手段と、複数のキーからなるキー入力手段と、機器の情報を表示する表示手段と、複数機種のプログラムを有し前記駆動手段を制御する制御手段と、素子の接続状態によりプログラム切換を行うプログラム切換手段と、前記プログラム切換手段からの情報を検出するプログラム切換検出手段とを備え、前記プログラム切換検出手段への入力部を他の構成要素から制御手段への入力部あるいは制御手段から他の構成要素への出力部との共用としたものであり、プログラム切換手段として専用の外部回路ならびにプログラム切換検出手段として専用入力部を設けずともよくなり、プリント配線板の省スペース化と効率的配線を実現できるとともに、制御手段をより入出力部の少ないマイクロコンピュータにより実現することができ、プリント配線板を小型にできるとともに低コストにできる。
【００１２】
第２の発明は、上記第１の発明において、プログラム切換検出手段への入力部を他の構成要素の半導体スイッチング素子への出力部と共用としたものであり、半導体スイッチング素子の有無による機種判別が可能となり、プリント配線板の省スペース化と効率的配線を実現できるとともに、制御手段をより入出力部の少ないマイクロコンピュータにより実現することができ、プリント配線板を小型にできるとともに低コストにできる。
【００１３】
第３の発明は、上記第１の発明において、プログラム切換検出手段への入力部をキー入力手段からの入力部と共用としたものであり、キー入力手段の構成の違いにより機種判別が可能となり、プリント配線板の省スペース化と効率的配線を実現できるとともに、制御手段をより入出力部の少ないマイクロコンピュータにより実現することができ、プリント配線板を小型にできるとともに低コストにできる。
【００１４】
第４の発明は、上記第１の発明において、プログラム切換検出手段への入力部を表示手段への出力部と共用としたものであり、表示手段の構成の違いによる機種判別が可能となり、プリント配線板の省スペース化と効率的配線を実現できるとともに、制御手段をより入出力部の少ないマイクロコンピュータにより実現することができ、プリント配線板を小型にできるとともに低コストにできる。
【００１５】
第５の発明は、上記第１〜４のいずれか１つの発明において、プログラム切換検出手段による機種判定をリセット解除時に行うようにしたものであり、制御手段の動作当初より機種判定が可能となり、動作開始時点から機種毎の動作をすることができる。
【００１６】
第６の発明は、上記第１〜４のいずれか１つの発明において、プログラム切換検出手段による機種判定を停電復帰時に行うようにしたものであり、使用者が機器の使用開始時毎に機種判別をすることができ、より信頼性の高い機種判別をすることができる。
【００１７】
第７の発明は、上記第１〜４のいずれか１つの発明において、プログラム切換検出手段による機種判定を炊飯開始時に行うようにしたものであり、使用者が使用する毎に機種判別をすることができ、より信頼性の高い機種判別をすることができる。
【００１８】
第８の発明は、上記第１〜４のいずれか１つの発明において、プログラム切換検出手段による機種判定を所定の周期で行うようにしたものであり、ノイズ等に起因するプログラム切換検出手段の誤判別を低下させることができる。
【００１９】
以下、本発明の実施の形態について、図面を参照しながら説明する。なお、この実施の形態によって本発明が限定されるものではない。
【００２０】
（実施の形態１）
図１は、本発明の実施の形態１における炊飯器の回路図を示すものであり、図２は、同炊飯器のプログラム切換した機種の回路図を示すものである。
【００２１】
図１に示すように、加熱手段１は、鍋（図示せず）を加熱するもので、メインヒータ１１と補助ヒータ１２とで構成している。駆動手段２は、加熱手段１を駆動するもので、リレー１３、リレー駆動手段１５、双方向サイリスタ１６、双方向サイリスタ駆動回路１７により構成し、リレー１３は制御手段５の入出力ポートＰ０に接続されたリレー駆動手段１５により動作し、メインヒータ１１への通電を制御する。
【００２２】
双方向サイリスタ１６は制御手段５の入出力ポートＰ１に接続された双方向サイリスタ駆動回路１７により動作し、メインヒータ１１と補助ヒータ１２への通電を制御している。双方向サイリスタ駆動回路１７は抵抗１８、１９、２０とＮＰＮトランジスタ２１により構成し、抵抗１８は双方向サイリスタ１６のゲート端子とＮＰＮトランジスタ２１のコレクタ端子間に接続し、抵抗１９はＮＰＮトランジスタ２１のエミッタ端子とベース端子間に接続しており、抵抗２０はＮＰＮトランジスタ２１のベースと制御手段５のＰ１端子間をプルアップするように接続している。
【００２３】
制御手段５は商用電源２２より直流電源回路２３を介して電力供給を受けており、キー入力手段３からの入力に応じて、入出力ポートＰ０に接続されているリレー駆動手段１５と、入出力ポートＰ１に接続されている双方向サイリスタ駆動回路１７と、表示手段４を動作させる。入出力ポートＰ１はＮｃｈオープンコレクタ端子であり、Ｐ１出力がオープン時にはＮＰＮトランジスタ２１がオンするので、このときのＰ１端子の電位はＮＰＮトランジスタ２１のベース−エミッタ間電圧の約０．７Ｖ程度となり、Ｐ１端子の入力はローとなる。Ｐ１がロー出力のときにもＰ１への入力はローとなることは明らかである。
【００２４】
一方、図２においては、図１で示した炊飯器に対し、加熱手段１として補助ヒータ１２を具備しない構成となっており、双方向サイリスタ１６は不要となることから、抵抗１８抵抗１９ならびにＮＰＮトランジスタ１７もそれぞれ不要となる。したがって、入出力ポートＰ１は抵抗２０によりプルアップされた状態となり、Ｐ１出力がオープンときのＰ１入力はハイとなる。したがって、入出力ポートＰ１１がオープン出力時のＰ１入力を確認することで機種の区別が可能となる。
【００２５】
以上のことから、抵抗１８、１９、２０とＮＰＮトランジスタ２１とで構成した双方向サイリスタ駆動回路１７はプログラム切換手段６として機能しており、制御手段５の入出力ポートＰ１はプログラム切換検出手段７として機能していることになる。
【００２６】
さらに、本実施の形態におけるプログラム切換検出手段７による機種判別は、機器がリセット解除された場合、あるいは停電状態から復帰した場合、あるいは炊飯開始時、あるいは例えば電源周期に同期した所定のタイミングで行ってもよく、またこれらを組み合わせたタイミングで実施してよい。
【００２７】
以上のように、本実施例においては、制御手段５の入出力ポートＰ１を半導体スイッチング素子（ＮＰＮトランジスタ１７）を用いたスイッチング回路（双方向サイリスタ駆動回路１７）への出力端子とし、半導体スイッチング素子の有無により、入出力ポートＰ１への入力レベルが異なるように構成することにより、入出力ポートＰ１をプログラム切換検出手段７とすることができるとともに、プログラム切換検出手段専用の入力部を設けずともよくなり、プリント配線板の省スペース化ならびに効率的配線およびより入出力部の少ないマイクロコンピュータによる制御手段の実現が可能となり、プリント配線板の小型化ならびに低コスト化を実現することができる。
【００２８】
なお、本実施の形態では、プログラム切換検出手段７は、駆動手段２の半導体スイッチング素子（ＮＰＮトランジスタ１７）への出力部を用いたが、駆動手段２の半導体スイッチング素子への出力部でなくともよい。
【００２９】
（実施の形態２）
図３は、本発明の実施の形態２における炊飯器の回路図を示すものであり、図４は、同炊飯器のプログラム切換した機種の回路図を示すものである。
【００３０】
図３に示すように、キー入力手段３は、制御手段５のアナログ−デジタル変換入力ポート（以下、ＡＤ入力ポートという）ＡＤ０、ＡＤ１に接続しており、ＡＤ入力ポートＡＤ０にはキー３３と抵抗３４を接続し、ＡＤ入力ポートＡＤ１にはキー３５と抵抗３６を接続している。他の構成は上記実施の形態１と同じであり、同一符号を付して説明を省略する。
【００３１】
上記構成において、ＡＤ入力ポートＡＤ０は通常抵抗３４によりプルダウンされており、キー３３がオンすることでＶＤＤとなる。よって、制御手段５はＡＤ入力ポートＡＤ０への入力電圧がＶＳＳよりも高く、ＶＤＤよりも十分低い電圧Ｖ０よりも低い電圧であればキー３３はオフであると認識し、電圧Ｖ０よりも十分高く、かつＶＤＤよりも低い電圧であるＶ１以上の電圧であればキー３３がオンされたものと認識する。ＡＤ１端子に関してもＡＤ０と同様の動作によりキー入力を認識することができる。
【００３２】
一方、図４で示す炊飯器において図３と異なる箇所は、キー入力手段３におけるキー３３が不要であることであり、この違いにより機種が異なることを認識しプログラムを切り換える。
【００３３】
すなわち、図４においては、ＡＤ入力ポートＡＤ０への入力電圧がＶ０よりも高く、Ｖ１よりも低い電圧となるよう抵抗３７を選択し、抵抗３７をキー３３の代わりに実装する。これにより、ＡＤ入力ポートＡＤ０にはキー３３が実装されている場合には検出されることのない電圧、すなわちＶ０より高く、Ｖ１より低い電圧が検出されることになる。
【００３４】
このことにより、制御手段５はキー３３のある機種とキー３３のない機種との区別をすることができる。すなわち、キー３３と抵抗３７はプログラム切換手段６を構成しており、ＡＤ入力ポートＡＤ０はキー入力手段３の１構成要素で、かつプログラム切換検出手段７の役割を果たしている。
【００３５】
以上のように、本実施例においては制御手段３のＡＤ入力ポートＡＤ０への入力レベルが異なるように構成することにより、ＡＤ入力ポートＡＤ０をプログラム切換検出手段７とすることができるとともに、プログラム切換検出手段専用の入力部を設けずともよくなり、プリント配線板の省スペース化ならびに効率的配線およびより入出力部の少ないマイクロコンピュータによる制御手段の実現が可能となり、プリント配線板の小型化ならびに低コスト化を実現することができる。
【００３６】
さらに、本実施の形態におけるプログラム切換検出手段７による機種判別は、機器がリセット解除された場合、あるいは停電状態から復帰した場合、あるいは炊飯開始時、あるいは例えば電源周期に同期した所定のタイミングで行ってもよく、またこれらを組み合わせたタイミングで実施してよい。
【００３７】
（実施の形態３）
図５は、本発明の実施の形態３における炊飯器の回路図を示すものであり、図６は、同炊飯器のプログラム切換した機種の回路図を示すものである。
【００３８】
図５に示すように、表示手段４はＬＥＤ４０、ＬＥＤ４１と抵抗４３〜４５で構成している。ＬＥＤ４０のカソードは制御手段５の入出力ポートＰ２に接続し、ＬＥＤ４１のカソードは制御手段５の入出力ポートＰ３に接続している。また、ＬＥＤ４０−ＶＤＤ間に抵抗４３を電流制限用として接続し、ＬＥＤ４１−ＶＤＤ間に抵抗４４を電流制限用として接続している。さらに、Ｐ３−ＶＤＤ間には数１０ｋΩ程度の抵抗４５を接続している。ここで、入出力ポートＰ２、Ｐ３はＬＥＤ非点灯時にはオープン状態となり、ＬＥＤ点灯時にはロー出力を行うものである。他の構成は上記実施の形態１と同じであり、同一符号を付して説明を省略する。
【００３９】
上記構成において、ＬＥＤの非点灯時、入出力ポートＰ３には抵抗４５がプルアップ抵抗として接続されていることから、入出力ポートＰ３の電位はハイとなる。
【００４０】
一方、図６に示す機種においては図５に示す機種と異なり、ＬＥＤ４１が不要なものとすると、ＬＥＤ４１ならびに抵抗４４、抵抗４５は不要であり、実装せずともよい。ここで、さらに抵抗４５に代わりＰ３端子−ＧＮＤ間にＰ３端子をプルダウンする抵抗４６を接続することで、Ｐ３端子の電位は常にローとなる。
【００４１】
以上のような回路構成とすることでＬＥＤの有無に応じ、Ｐ３端子のオープン出力時の端子電圧レベルを入力することで機種判別が可能となり、ＬＥＤ４１、抵抗４５、抵抗４６はプログラム切換手段６の役割を果たしており、また、入出力ポートＰ３は表示手段４の１構成要素で、かつプログラム切換検出手段７の役割を果たしている。
【００４２】
さらに、本実施の形態におけるプログラム切換検出手段７による機種判別は、機器がリセット解除された場合、あるいは停電状態から復帰した場合、あるいは炊飯開始時、あるいは例えば電源周期に同期した所定のタイミングで行ってもよく、またこれらを組み合わせたタイミングで実施してよい。
【産業上の利用可能性】
【００４３】
以上のように、本発明にかかる炊飯器は、プリント配線板の省スペース化と効率的配線を実現できるとともに、制御手段をより入出力部の少ないマイクロコンピュータにより実現することができ、プリント配線板を小型にできるとともに低コストにできるので、複数機種のプログラムを有し鍋を加熱する加熱手段を制御する制御手段を備えた炊飯器として有用である。
【図面の簡単な説明】
【００４４】
【図１】本発明の実施の形態１における炊飯器の回路図
【図２】同炊飯器のプログラム切換した機種の回路図
【図３】本発明の実施の形態２における炊飯器の回路図
【図４】同炊飯器のプログラム切換した機種の回路図
【図５】本発明の実施の形態３における炊飯器の回路図
【図６】同炊飯器のプログラム切換した機種の回路図
【図７】従来の炊飯器の回路図
【符号の説明】
【００４５】
１  加熱手段
２  駆動手段
３  キー入力手段
４  表示手段
５  制御手段
６  プログラム切換手段
７  プログラム切換検出手段
【図１】
2005312609.tif 000003
【図２】
2005312609.tif 000004
【図３】
2005312609.tif 000005
【図４】
2005312609.tif 000006
【図５】
2005312609.tif 000007
【図６】
2005312609.tif 000008
【図７】
2005312609.tif 000009